【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
復号対象となる画像と予測対象となる画像との差分情報が、複数のサブブロックに分割され、分割された前記サブブロックが所定の順序で符号化された符号化ストリームを復号する画像復号装置であって、
前記サブブロックに属する各差分係数の値の全てがゼロであるか否かを示す有意サブブロック情報を復号する有意サブブロック情報復号部と、
前記差分係数の値がゼロであるか否かを示す有意差分係数情報を復号する有意差分係数情報復号部と、
前記差分係数の値を復号する差分係数値復号部と、
復号対象となるサブブロックに属する差分係数の前記有意差分係数情報に基づかず、復号対象となるサブブロックに隣接する復号済みのサブブロックの前記有意サブブロック情報、復号対象となるサブブロックに隣接する復号済みのサブブロックに属する差分係数の前記有意差分係数情報、及び、復号対象となるサブブロックに隣接する復号済みのサブブロックに属する前記差分係数の値、の内の少なくとも何れかに基づいて、前記復号対象となるサブブロックの前記有意差分係数情報を復号するためのコンテキストを導出するコンテキスト導出部と
を備えることを特徴とする画像復号装置。
【請求項２】
前記コンテキスト導出部は、復号対象となるサブブロックの右側と下側に隣接する復号済みのサブブロックの前記有意サブブロック情報、復号対象となるサブブロックの右側と下側に隣接する復号済みのサブブロックに属する一以上の前記有意差分係数情報、及び、復号対象となるサブブロックの右側と下側に隣接する復号済みのサブブロックに属する一以上の前記差分係数の値、の内の少なくとも何れかに基づいてインデックスを導出し、導出された前記インデックスに基づき、前記コンテキストを導出することを特徴とする請求項１に記載の画像復号装置。
【請求項３】
前記コンテキスト導出部はさらに、前記復号対象となるサブブロックに属する前記差分係数の位置に基づき、前記コンテキストを導出することを特徴とする請求項２に記載の画像復号装置。
【請求項４】
前記インデックスは、復号対象となるサブブロックの復号対象となるサブブロックの右側と下側に隣接する復号済みのサブブロックについて、前記有意サブブロック情報を用いた加算式、各有意差分係数情報を用いた加算式、又は前記差分係数の絶対値を用いた加算式、の内の少なくとも何れかに基づいて導出されることを特徴とする請求項２又は請求項３に記載の画像復号装置。
【請求項５】
復号対象となる画像と予測対象となる画像との差分情報が、複数のサブブロックに分割され、分割された前記サブブロックが所定の順序で符号化された符号化ストリームを復号する画像復号方法であって、
前記サブブロックに属する各差分係数の値の全てがゼロであるか否かを示す有意サブブロック情報を復号する有意サブブロック情報復号ステップと、
前記差分係数の値がゼロであるか否かを示す有意差分係数情報を復号する有意差分係数情報復号ステップと、
前記差分係数の値を復号する差分係数値復号ステップと、
復号対象となるサブブロックに属する差分係数の前記有意差分係数情報に基づかず、復号対象となるサブブロックに隣接する復号済みのサブブロックの前記有意サブブロック情報、復号対象となるサブブロックに隣接する復号済みのサブブロックに属する差分係数の前記有意差分係数情報、及び、復号対象となるサブブロックに隣接する復号済みのサブブロックに属する前記差分係数の値、の内の少なくとも何れかに基づいて、前記復号対象となるサブブロックの前記有意差分係数情報を復号するためのコンテキストを導出するコンテキスト導出ステップと
を備えることを特徴とする画像復号方法。
【請求項６】
復号対象となる画像と予測対象となる画像との差分情報が、複数のサブブロックに分割され、分割された前記サブブロックが所定の順序で符号化された符号化ストリームを復号する画像復号プログラムであって、
前記サブブロックに属する各差分係数の値の全てがゼロであるか否かを示す有意サブブロック情報を復号する有意サブブロック情報復号ステップと、
前記差分係数の値がゼロであるか否かを示す有意差分係数情報を復号する有意差分係数情報復号ステップと、
前記差分係数の値を復号する差分係数値復号ステップと、
復号対象となるサブブロックに属する差分係数の前記有意差分係数情報に基づかず、復号対象となるサブブロックに隣接する復号済みのサブブロックの前記有意サブブロック情報、復号対象となるサブブロックに隣接する復号済みのサブブロックに属する差分係数の前記有意差分係数情報、及び、復号対象となるサブブロックに隣接する復号済みのサブブロックに属する前記差分係数の値、の内の少なくとも何れかに基づいて、前記復号対象となるサブブロックの前記有意差分係数情報を復号するためのコンテキストを導出するコンテキスト導出ステップと
をコンピュータに実行させることを特徴とする画像復号プログラム。
【請求項７】
動画像が符号化された符号化ストリームを受信して、受信された前記符号化ストリームを復号する受信装置であって、
復号対象となる画像と予測対象となる画像との差分情報が、複数のサブブロックに分割され、分割された前記サブブロックが所定の順序で符号化された符号化ストリームがパケット化された符号化データを受信する受信部と、
受信された前記パケット化された符号化データをパケット処理して前記符号化ストリームを復元する復元部と、
復元された前記符号化ストリームから、前記サブブロックに属する各差分係数の値の全てがゼロであるか否かを示す有意サブブロック情報を復号する有意サブブロック情報復号部と、
復元された前記符号化ストリームから、前記差分係数の値がゼロであるか否かを示す有意差分係数情報を復号する有意差分係数情報復号部と、
復元された前記符号化ストリームから、前記差分係数の値を復号する差分係数値復号部と、
復号対象となるサブブロックに属する差分係数の前記有意差分係数情報に基づかず、復号対象となるサブブロックに隣接する復号済みのサブブロックの前記有意サブブロック情報、復号対象となるサブブロックに隣接する復号済みのサブブロックに属する差分係数の前記有意差分係数情報、及び、復号対象となるサブブロックに隣接する復号済みのサブブロックに属する前記差分係数の値、の内の少なくとも何れかに基づいて、前記復号対象となるサブブロックの前記有意差分係数情報を復号するためのコンテキストを導出するコンテキスト導出部と
を備えることを特徴とする受信装置。
【請求項８】
動画像が符号化された符号化ストリームを受信して、受信された前記符号化ストリームを復号する受信方法であって、
復号対象となる画像と予測対象となる画像との差分情報が、複数のサブブロックに分割され、分割された前記サブブロックが所定の順序で符号化された符号化ストリームがパケット化された符号化データを受信する受信ステップと、
受信された前記パケット化された符号化データをパケット処理して前記符号化ストリームを復元する復元ステップと、
復元された前記符号化ストリームから、前記サブブロックに属する各差分係数の値の全てがゼロであるか否かを示す有意サブブロック情報を復号する有意サブブロック情報復号ステップと、
復元された前記符号化ストリームから、前記差分係数の値がゼロであるか否かを示す有意差分係数情報を復号する有意差分係数情報復号ステップと、
復元された前記符号化ストリームから、前記差分係数の値を復号する差分係数値復号ステップと、
復号対象となるサブブロックに属する差分係数の前記有意差分係数情報に基づかず、復号対象となるサブブロックに隣接する復号済みのサブブロックの前記有意サブブロック情報、復号対象となるサブブロックに隣接する復号済みのサブブロックに属する差分係数の前記有意差分係数情報、及び、復号対象となるサブブロックに隣接する復号済みのサブブロックに属する前記差分係数の値、の内の少なくとも何れかに基づいて、前記復号対象となるサブブロックの前記有意差分係数情報を復号するためのコンテキストを導出するコンテキスト導出ステップと
を有することを特徴とする受信方法。
【請求項９】
動画像が符号化された符号化ストリームを受信して、受信された前記符号化ストリームを復号する受信プログラムであって、
復号対象となる画像と予測対象となる画像との差分情報が、複数のサブブロックに分割され、分割された前記サブブロックが所定の順序で符号化された符号化ストリームがパケット化された符号化データを受信する受信ステップと、
受信された前記パケット化された符号化データをパケット処理して前記符号化ストリームを復元する復元ステップと、
復元された前記符号化ストリームから、前記サブブロックに属する各差分係数の値の全てがゼロであるか否かを示す有意サブブロック情報を復号する有意サブブロック情報復号ステップと、
復元された前記符号化ストリームから、前記差分係数の値がゼロであるか否かを示す有意差分係数情報を復号する有意差分係数情報復号ステップと、
復元された前記符号化ストリームから、前記差分係数の値を復号する差分係数値復号ステップと、
復号対象となるサブブロックに属する差分係数の前記有意差分係数情報に基づかず、復号対象となるサブブロックに隣接する復号済みのサブブロックの前記有意サブブロック情報、復号対象となるサブブロックに隣接する復号済みのサブブロックに属する差分係数の前記有意差分係数情報、及び、復号対象となるサブブロックに隣接する復号済みのサブブロックに属する前記差分係数の値、の内の少なくとも何れかに基づいて、前記復号対象となるサブブロックの前記有意差分係数情報を復号するためのコンテキストを導出するコンテキスト導出ステップと
をコンピュータに実行させることを特徴とする受信プログラム。
【手続補正２】
【補正対象書類名】明細書
【補正対象項目名】０００７
【補正方法】変更
【補正の内容】
【０００７】
復号対象となる画像と予測対象となる画像との差分情報が、複数のサブブロックに分割され、分割された前記サブブロックが所定の順序で符号化された符号化ストリームを復号する画像復号装置であって、前記サブブロックに属する各差分係数の値の全てがゼロであるか否かを示す有意サブブロック情報を復号する有意サブブロック情報復号部と、前記差分係数の値がゼロであるか否かを示す有意差分係数情報を復号する有意差分係数情報復号部と、前記差分係数の値を復号する差分係数値復号部と、復号対象となるサブブロックに属する差分係数の前記有意差分係数情報に基づかず、復号対象となるサブブロックに隣接する復号済みのサブブロックの前記有意サブブロック情報、復号対象となるサブブロックに隣接する復号済みのサブブロックに属する差分係数の前記有意差分係数情報、及び、復号対象となるサブブロックに隣接する復号済みのサブブロックに属する前記差分係数の値、の内の少なくとも何れかに基づいて、前記復号対象となるサブブロックの前記有意差分係数情報を復号するためのコンテキストを導出するコンテキスト導出部とを備えることを特徴とする画像復号装置を提供する。
復号対象となる画像と予測対象となる画像との差分情報が、複数のサブブロックに分割され、分割された前記サブブロックが所定の順序で符号化された符号化ストリームを復号する画像復号方法であって、前記サブブロックに属する各差分係数の値の全てがゼロであるか否かを示す有意サブブロック情報を復号する有意サブブロック情報復号ステップと、前記差分係数の値がゼロであるか否かを示す有意差分係数情報を復号する有意差分係数情報復号ステップと、前記差分係数の値を復号する差分係数値復号ステップと、復号対象となるサブブロックに属する差分係数の前記有意差分係数情報に基づかず、復号対象となるサブブロックに隣接する復号済みのサブブロックの前記有意サブブロック情報、復号対象となるサブブロックに隣接する復号済みのサブブロックに属する差分係数の前記有意差分係数情報、及び、復号対象となるサブブロックに隣接する復号済みのサブブロックに属する前記差分係数の値、の内の少なくとも何れかに基づいて、前記復号対象となるサブブロックの前記有意差分係数情報を復号するためのコンテキストを導出するコンテキスト導出ステップとを備えることを特徴とする画像復号方法を提供する。
復号対象となる画像と予測対象となる画像との差分情報が、複数のサブブロックに分割され、分割された前記サブブロックが所定の順序で符号化された符号化ストリームを復号する画像復号プログラムであって、前記サブブロックに属する各差分係数の値の全てがゼロであるか否かを示す有意サブブロック情報を復号する有意サブブロック情報復号ステップと、前記差分係数の値がゼロであるか否かを示す有意差分係数情報を復号する有意差分係数情報復号ステップと、前記差分係数の値を復号する差分係数値復号ステップと、復号対象となるサブブロックに属する差分係数の前記有意差分係数情報に基づかず、復号対象となるサブブロックに隣接する復号済みのサブブロックの前記有意サブブロック情報、復号対象となるサブブロックに隣接する復号済みのサブブロックに属する差分係数の前記有意差分係数情報、及び、復号対象となるサブブロックに隣接する復号済みのサブブロックに属する前記差分係数の値、の内の少なくとも何れかに基づいて、前記復号対象となるサブブロックの前記有意差分係数情報を復号するためのコンテキストを導出するコンテキスト導出ステップとをコンピュータに実行させることを特徴とする画像復号プログラムを提供する。
動画像が符号化された符号化ストリームを受信して、受信された前記符号化ストリームを復号する受信装置であって、復号対象となる画像と予測対象となる画像との差分情報が、複数のサブブロックに分割され、分割された前記サブブロックが所定の順序で符号化された符号化ストリームがパケット化された符号化データを受信する受信部と、受信された前記パケット化された符号化データをパケット処理して前記符号化ストリームを復元する復元部と、復元された前記符号化ストリームから、前記サブブロックに属する各差分係数の値の全てがゼロであるか否かを示す有意サブブロック情報を復号する有意サブブロック情報復号部と、復元された前記符号化ストリームから、前記差分係数の値がゼロであるか否かを示す有意差分係数情報を復号する有意差分係数情報復号部と、復元された前記符号化ストリームから、前記差分係数の値を復号する差分係数値復号部と、復号対象となるサブブロックに属する差分係数の前記有意差分係数情報に基づかず、復号対象となるサブブロックに隣接する復号済みのサブブロックの前記有意サブブロック情報、復号対象となるサブブロックに隣接する復号済みのサブブロックに属する差分係数の前記有意差分係数情報、及び、復号対象となるサブブロックに隣接する復号済みのサブブロックに属する前記差分係数の値、の内の少なくとも何れかに基づいて、前記復号対象となるサブブロックの前記有意差分係数情報を復号するためのコンテキストを導出するコンテキスト導出部とを備えることを特徴とする受信装置を提供する。
動画像が符号化された符号化ストリームを受信して、受信された前記符号化ストリームを復号する受信方法であって、復号対象となる画像と予測対象となる画像との差分情報が、複数のサブブロックに分割され、分割された前記サブブロックが所定の順序で符号化された符号化ストリームがパケット化された符号化データを受信する受信ステップと、受信された前記パケット化された符号化データをパケット処理して前記符号化ストリームを復元する復元ステップと、復元された前記符号化ストリームから、前記サブブロックに属する各差分係数の値の全てがゼロであるか否かを示す有意サブブロック情報を復号する有意サブブロック情報復号ステップと、復元された前記符号化ストリームから、前記差分係数の値がゼロであるか否かを示す有意差分係数情報を復号する有意差分係数情報復号ステップと、復元された前記符号化ストリームから、前記差分係数の値を復号する差分係数値復号ステップと、復号対象となるサブブロックに属する差分係数の前記有意差分係数情報に基づかず、復号対象となるサブブロックに隣接する復号済みのサブブロックの前記有意サブブロック情報、復号対象となるサブブロックに隣接する復号済みのサブブロックに属する差分係数の前記有意差分係数情報、及び、復号対象となるサブブロックに隣接する復号済みのサブブロックに属する前記差分係数の値、の内の少なくとも何れかに基づいて、前記復号対象となるサブブロックの前記有意差分係数情報を復号するためのコンテキストを導出するコンテキスト導出ステップとを有することを特徴とする受信方法を提供する。
動画像が符号化された符号化ストリームを受信して、受信された前記符号化ストリームを復号する受信プログラムであって、復号対象となる画像と予測対象となる画像との差分情報が、複数のサブブロックに分割され、分割された前記サブブロックが所定の順序で符号化された符号化ストリームがパケット化された符号化データを受信する受信ステップと、受信された前記パケット化された符号化データをパケット処理して前記符号化ストリームを復元する復元ステップと、復元された前記符号化ストリームから、前記サブブロックに属する各差分係数の値の全てがゼロであるか否かを示す有意サブブロック情報を復号する有意サブブロック情報復号ステップと、復元された前記符号化ストリームから、前記差分係数の値がゼロであるか否かを示す有意差分係数情報を復号する有意差分係数情報復号ステップと、復元された前記符号化ストリームから、前記差分係数の値を復号する差分係数値復号ステップと、復号対象となるサブブロックに属する差分係数の前記有意差分係数情報に基づかず、復号対象となるサブブロックに隣接する復号済みのサブブロックの前記有意サブブロック情報、復号対象となるサブブロックに隣接する復号済みのサブブロックに属する差分係数の前記有意差分係数情報、及び、復号対象となるサブブロックに隣接する復号済みのサブブロックに属する前記差分係数の値、の内の少なくとも何れかに基づいて、前記復号対象となるサブブロックの前記有意差分係数情報を復号するためのコンテキストを導出するコンテキスト導出ステップとをコンピュータに実行させることを特徴とする受信プログラムを提供する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】